(57)【要約】【課題】身近にある実際の樹木について、樹木の名称と共にＣＯ２固定量を知ることができ、更なる環境意識の向上を図ることが可能な樹名札を提供することである。【解決手段】樹名札１０は、バンド１５により樹木の幹１００に取り付けられ、樹名札１０を構成する基盤１１の表面に、樹木の名称を表示する樹木名表示部１２と、ＣＯ２固定量を表示するＣＯ２固定量表示部１３と、樹木の幹径に応じたＣＯ２固定量を簡易的に定量することができる定量ゲージ１４とを有する。なお、ＣＯ２固定量表示部１３に表示されるＣＯ２固定量は、年間固定重量とペットボトル（容積）本数換算量とにより表示される。【選択図】図１
0003157020.tif 000002
【実用新案登録請求の範囲】
【請求項１】
樹木自体或いはその近傍に配置され、樹木名を表示する樹名札であって、
当該樹木のＣＯ２固定量を樹木名と共に表示することを特徴とする樹名札。
【請求項２】
請求項１に記載の樹名札において、
ＣＯ２固定量は、期間固定重量と容積換算量とにより表示されることを特徴とする樹名札。
【請求項３】
請求項１又は２に記載の樹名札において、
ＣＯ２固定量表示部は、樹名札から着脱可能であることを特徴とする樹名札。
【請求項４】
請求項１から３のいずれか１に記載の樹名札において、
樹木の幹径を計測して、幹径に応じたＣＯ２固定量を簡易的に定量可能である定量ゲージが設けられていることを特徴とする樹名札。
【請求項５】
請求項１から４のいずれか１に記載の樹名札において、
木粉を混入した基盤からなることを特徴とする樹名札。
【請求項６】
請求項１から５のいずれか１に記載の樹名札において、
表示面に感光変色物質が塗布されていることを特徴とする樹名札。
【考案の詳細な説明】
【技術分野】
【０００１】
本考案は、樹名札に係り、特に、樹木自体或いはその近傍に配置され、樹木名を表示する樹名札に関する。
【背景技術】
【０００２】
樹木は、炭酸ガス（ＣＯ２）などの温室効果ガスを吸収固定して地球温暖化の防止に貢献することが広く知られている。樹木は、ＣＯ２を取り込んで光合成を行なうことによりセルロース等の有機化合物を合成し、当該有機化合物が幹や枝など樹木の成長に使用される。即ち、幹や枝になったＣＯ２の量が、樹木のＣＯ２固定量である。このＣＯ２固定量は、樹木の種類、樹高や幹径に基づいて計算することができ、種々のウェブサイトやパンフレット等により公開されている。また、計算されたＣＯ２固定量を、例えば、ペットボトルの体積に換算することでイメージし易くし、環境意識の向上を図る工夫がなされている。
【０００３】
ＣＯ２を吸収して固定できる樹木は、例えば、都市景観の向上や地球温暖化対策の一環として、公園や道路、工場などに植栽されている。公園等には、様々な樹木があり、いくつかの樹木の幹等には、樹木名を表示する樹名札が取り付けられている。例えば、コイル状に巻かれた線材からなり樹木の成長に伴い伸長するコイルスプリング等のバンドを用いて幹に取り付けられる樹名札が知られている（特許文献１参照）。
【先行技術文献】
【特許文献】
【０００４】
【特許文献１】特開平７‐３３４０９２号公報
【考案の概要】
【考案が解決しようとする課題】
【０００５】
上記のように、樹木のＣＯ２固定量がウェブサイト等において広く公開され、植栽活動等の環境保護活動に対する意識の向上が図られている。しかしながら、公園等の身近にある実際の樹木について、その名称は幹等に取り付けられた樹名札により知ることができるが、その樹木のＣＯ２固定量を直ぐに知ることはできず、環境意識の向上の観点から改良の余地がある。
【０００６】
本考案の目的は、身近にある実際の樹木について、その名称と共にＣＯ２固定量を知ることができ、更なる環境意識の向上を図ることが可能な樹名札を提供することである。
【課題を解決するための手段】
【０００７】
本考案に係る樹名札は、樹木自体或いはその近傍に配置され、樹木名を表示する樹名札であって、当該樹木のＣＯ２固定量を樹木名と共に表示することを特徴とする。本考案の樹名札によれば、身近にある実際の樹木について、樹木名だけでなく、ＣＯ２固定量をも知ることができる。
【０００８】
また、ＣＯ２固定量は、期間固定重量と容積換算量とにより表示されることが好ましい。この構成によれば、樹木が所定期間内に吸収して固定するＣＯ２の重量である期間固定重量だけでなく、その期間固定重量を、例えば、所定容積のペットボトルの本数に換算したペットボトル（容積）本数換算量をも知ることができるので、ＣＯ２固定量をイメージし易くなる。
【０００９】
また、ＣＯ２固定量表示部は、樹名札から着脱可能であることが好ましい。この構成によれば、樹名札自体を交換することなく、ＣＯ２固定量表示部のみを取り外して、樹木の成長により変化するＣＯ２固定量等の情報を容易に更新することができる。
【００１０】
また、樹木の幹径を計測して、幹径に応じたＣＯ２固定量を簡易的に定量する定量ゲージが設けられていることが好ましい。定量ゲージは、樹名札の表面に設けることができ、幹径に対応したＣＯ２固定量を規定したゲージである。定量ゲージによれば、幹径を計測して、計測した幹径に応じたＣＯ２固定量を読み取ることで、簡易的なＣＯ２固定量を知ることができ、また、樹名札に記載のＣＯ２固定量と計測したＣＯ２固定量との相違により、樹名札交換時期の目安とすることもできる。
【００１１】
また、樹名札の基盤は、木粉を混入した基盤であることが好ましい。この構成によれば、ＣＯ２を吸収固定している木粉によって、樹名札自体もＣＯ２を固定していることとなる。
【００１２】
また、樹名札の表示面、特に、ＣＯ２固定量表示部に感光変色物質が利用されていることが好ましい。ＣＯ２固定部表示部への感光変色物質の利用は、例えば、感光変色物質を含む変色シートを表示部に貼着したり、基盤自体に感光変色物質を混入したり、或いは表示部に感光変色物質を塗布することで実現される。この構成によれば、光があたると変色する感光変色物質によって、例えば、樹木が太陽光を受けて光合成を行い、ＣＯ２を吸収している状態であることを、表示面の色変化により知ることができる。
【考案の効果】
【００１３】
本考案に係る樹名札によれば、身近にある実際の樹木について、樹木の名称と共にＣＯ２固定量を知ることができ、更なる環境意識の向上を図ることが可能になる。
【図面の簡単な説明】
【００１４】
【図１】本考案に係る第１実施形態における樹名札を示す正面図であって、樹木の幹に取り付けられた状態を示す図である。
【図２】第１実施形態の樹名札の基盤を示す正面図、上面図及び側面図である。
【図３】第１実施形態の樹名札に樹脂ポールを取り付けた状態を示す側面図である。
【図４】本考案に係る第２実施形態における樹名札を示す正面図であって、樹木の幹に取り付けられた状態を示す図である。
【図５】図４において、ＣＯ２固定量表示部を取り外した状態を示す図である。
【図６】取り外したＣＯ２固定量表示部を示す図である。
【図７】第２実施形態の樹名札の基盤を示す正面図、上面図及び側面図である。
【図８】本考案に係る第３実施形態における樹名札を示す正面図である。
【考案を実施するための形態】
【００１５】
図面を用いて、本考案に係る樹名札の実施形態につき、以下詳細に説明する。なお、図１〜図３は、第１実施形態の樹名札１０を、図４〜図７は、第２実施形態の樹名札２０を、図８は、第３実施形態の樹名札３０を、それぞれ示す図である。
【００１６】
図１〜図３を用いて、樹名札１０の構成について説明する。なお、図２は、基盤１１から樹木名表示部１２及びＣＯ２固定量表示部１３を取り外した状態を示している（基盤１１の色彩、定量ゲージ１４の文字を省略）。
【００１７】
図１に示すように、樹名札１０は、樹木の幹１００に取り付けられ、ＣＯ２固定量を当該樹木の名称と共に表示する機能を有し、樹名札１０を構成する基盤１１の表面に、樹木名表示部１２と、ＣＯ２固定量表示部１３とを有する。また、基盤１１の表面には、樹木の幹径に応じたＣＯ２固定量を簡易的に定量することができる定量ゲージ１４が設けられる。
【００１８】
樹名札１０の基盤１１は、一般的に、金属製又は樹脂製のプレートである。基盤１１の形状としては、特に限定されず、図１に示すような矩形で周縁が裏面側に折れ曲がった傾斜部を有する形状とすることができる。なお、加工性や材料コスト等の観点から、基盤１１は、樹脂製であることが好ましく、例えば、ＡＢＳ樹脂（アクリロニトリル‐ブタジエン‐ステレン）、ＡＡＳ樹脂（アクリロニトリル‐アクリルゴム‐スチレン共重合体）やＰＥＴ樹脂（ポリエチレングリコールテレフタレート）、これらの再生樹脂等を用いることができる。また、太陽光等による樹脂の劣化を防止するために、ポリカーボネート等の耐候性樹脂からなる表面層を設けることが好ましい。
【００１９】
また、基盤１１には、ＣＯ２を吸収固定している木粉を混入することができ、樹名札１０自体にもＣＯ２を固定していることとなる。
【００２０】
樹木名表示部１２は、樹名札１０を取り付ける樹木の名称等を表示する部分である。樹木名表示部１２には、図１に示すように、クスノキ（クスノキ科）のように、樹木名や科名、或いは属名や樹木の特性などを表示することができる。また、樹木名表示部１２には、ＱＲコード（登録商標）やＵＲＬなどを表示して、例えば、樹木の環境改善効果などの情報を公開するモバイルサイトに誘導することで、環境教育や広告媒体としての利用を図ることもできる。なお、ＱＲコード（登録商標）等は、ＣＯ２固定量表示部１３等に設けてもよい。
【００２１】
ＣＯ２固定量表示部１３は、樹名札１０を取り付ける樹木のＣＯ２固定量を表示する部分である。ＣＯ２固定量表示部１３には、図１に示すように、ＣＯ２固定量の数値と共に、樹木がＣＯ２を吸収することを示すようなイラスト等を表示することができる。ＣＯ２固定量表示部１３の機能により、身近にある実際の樹木について、樹木名だけでなく、ＣＯ２固定量を併せて知ることができる。
【００２２】
ＣＯ２固定量表示部１３に表示されるＣＯ２固定量としては、「ＣＯ２固定量約２５．５４ｋｇ／年＝５００ｍｌペットボトル２８，０９４本分」のように、年間固定重量とペットボトル（容積）本数換算量とを併記することが好ましい。なお、年間固定重量は、樹木が１年間に吸収して固定するＣＯ２の重量を意味し、その年間固定重量を所定容積のペットボトルの本数に換算した値がペットボトル（容積）本数換算量である。換算するペットボトルの容積としては、流通量の多い５００ｍｌであることが好ましい。このように、ペットボトル（容積）本数換算量を併せて表示することで、年間固定重量をイメージし易くして、環境意識をより向上させる効果がある。
【００２３】
年間固定重量は、樹木の種類、樹高や幹径に基づいて計算することができる。例えば、幹径から葉の総面積を推定し、葉１ｍ２あたりの年間ＣＯ２吸収量（例えば、３．５ｋｇ）から呼吸によって放出される量（例えば、０．９ｋｇ）を差し引いた値（２．６ｋｇ／ｍ２・年）を用いて計算することができる。なお、本明細書では、ＣＯ２固定量（年間固定重量）は、社団法人日本造園建設業協会のガイドラインに従い、幹径又は樹高に基づいて計算した値を用いて説明する。
【００２４】
また、ＣＯ２固定量表示部１３には、年間固定重量及びペットボトル（容積）本数換算量と共に、図１に示すように、樹木の高さや幹１００の直径（幹径）等の樹木の状態や幹径等の計測時期（例えば、「２００９年９月  直径２２．３ｃｍ」等）、ＣＯ２固定量の計算方法（例えば、「（社）日本造園建設業協会のガイドラインからの概算値。」等）などを表示することが好ましい。
【００２５】
また、樹名札１０の表示面、特に、ＣＯ２固定量表示部１３に、感光変色物質を塗布することができ、光があたるとＣＯ２固定量表示部１３の感光変色物質の塗布部が変色するようにすることができる。例えば、樹木が太陽光を受けて光合成を行い、ＣＯ２を吸収している状態であることを、塗布部の色変化により知ることができる。なお、感光変色物質としては、太陽光の照射により変色するフォトクロミック化合物（例えば、ハロゲン化銀、スピロピラン等）を使用することができる。なお、感光変色物質を塗布する代わりに、感光変色物質を含む変色シートをＣＯ２固定量表示部１３に貼着する、或いは基盤１１に感光変色物質を混入する等により感光変色物質を適用することができる。
【００２６】
定量ゲージ１４は、幹径に対応したＣＯ２固定量を規定したゲージであり、図１に示すように、基盤１１表面の下方傾斜部に設けることができる。定量ゲージ１４によれば、幹径を計測し、計測値に応じたＣＯ２固定量を読み取ることで、簡易的なＣＯ２固定量を知ることができる。また、ＣＯ２固定量表示部１３に表示されたＣＯ２固定量と計測したＣＯ２固定量との相違により、表示の更新時期の目安とすることもできる。
【００２７】
なお、樹木名表示部１２、ＣＯ２固定量表示部１３、及び定量ゲージ１４は、基盤１１の表面に直接文字等をペイントする等して設けることもできるが、生産性等の観点から、それぞれを構成する薄板状部材やラベルを接着剤等により基盤１１表面に貼着して設けることが好ましい。
【００２８】
樹名札１０は、コイルスプリング等のバンド１５によって、樹木の幹１００に取り付けることができる。バンド１５は、伸縮変形可能な金属製又は樹脂製の線材がコイル状に巻かれた形状を有する。バンド１５は、線材の間隔が変化するので、幹１００の径が異なる樹木にも容易に取り付けることができると共に、幹１００の成長により伸長可能である。バンド１５のサイズは、幹径に応じて変更することができ、例えば、線径０．６ｍｍ、コイルの直径１０ｍｍ、コイルの長さ１００〜１０００ｍｍであるステンレス製のバンド１５を用いることができる。
【００２９】
図２に示すように、基盤１１の裏面には、バンド１５の端部を固定する止め部１６が設けられる。止め部１６は、バンド１５の端部を固定できる形態であれば特に限定されないが、庇のような屋根板を有する半円筒形状であることが好ましい。当該半円筒形状の止め部１６は、基盤１１の裏面から突出し、屋根板（庇）の裏側に突起を有している。この止め部１６にコイルスプリング状のバンド１５の端部をスライドさせることで、庇の裏側にある突起にバンド１５を構成する金属線が入り込んで係止される。なお、基盤１１の裏面には、樹脂ポール嵌合部１７を設けることができる。
【００３０】
図３に示すように、樹名札１０は、樹脂ポール５０を用いて樹木の近傍に配置することもできる。樹脂ポール５０は、ポール下端部に地面に突き刺して固定するためのアンカー５１と、ポール上端部に樹名札１０の樹脂ポール嵌合部１７に嵌合するジョイント５２とを有する。なお、ジョイント５２としては、首振り機能を有するジョイントを用いることができ、樹名札１０の設置角度を調整することができる。
【００３１】
以上のように、樹名札１０は、樹木の幹１００に取り付けられ、樹木名表示部１２と、ＣＯ２固定量表示部１３とを有するので、当該樹木のＣＯ２固定量を樹木名と共に表示することができる。また、ＣＯ２固定量表示部１３には、ＣＯ２固定量として、年間固定重量とペットボトル（容積）本数換算量とが表示される。したがって、樹名札１０によれば、身近にある実際の樹木について、ＣＯ２固定量を見て緑の価値をイメージすることが容易になるので、更なる環境意識の向上を図ることが可能になる。
【００３２】
図４〜図７を用いて、樹名札２０の構成について説明する。なお、図５及び図７は、基盤２１からＣＯ２固定量表示部２３を取り外した状態を示し、図６は、取り外したＣＯ２固定量表示部２３を示す（基盤２１やＣＯ２固定量表示部２３の色彩・文字の一部又は全部を省略）。
【００３３】
図４に示すように、樹名札２０は、樹名札１０と同様に、基盤２１の表面に、樹木名表示部２２と、ＣＯ２固定量表示部２３と、定量ゲージ２４とを有し、バンド２５及び止め部２６（図７参照）を用いて樹木の幹１００に取り付けられる。また、樹名札２０は、樹脂ポール５０を取り付けるための樹脂ポール嵌合部２７（図７参照）も有する。なお、樹名札２０において、基盤２１及びＣＯ２固定量表示部２３を除く各構成要素（樹木名表示部２２等）は、樹名札１０の対応する各構成要素と同様のものであるから、その説明を省略する。
【００３４】
図５及び図６に示すように、樹名札２０は、ＣＯ２固定量表示部２３を基盤２１から着脱することが可能であり、所定期間毎（例えば、３年間毎）に、ＣＯ２固定量表示部２３のみを交換してＣＯ２固定量等の情報を更新することができる。着脱可能なＣＯ２固定量表示部２３は、年間固定重量及びペットボトル（容積）本数換算量、イラストや幹径等が記載された樹脂製プレートとすることができる。
【００３５】
図５に示すように、基盤２１の表面には、ＣＯ２固定量表示部２３を取り付けるための係止孔２８が形成されている。係止孔２８は、例えば、プレート状のＣＯ２固定量表示部２３の一部を挿入可能なサイズに設計される。図６に示すように、ＣＯ２固定量表示部２３の一部には、係止片２９が設けられ、その係止片２９を係止孔２８に挿入することで、ＣＯ２固定量表示部２３を基盤２１に固定することができる。なお、係止片２９の一部には、折り曲げ線が形成され、係止片２９を係止孔２８に挿入した後で、この折り曲げ線を折り曲げることにより挿入状態を維持することができる。
【００３６】
図７に示すように、樹名札２０は、ＣＯ２固定量表示部２３を前方に湾曲させ基盤２１の表面から突出させた状態で、基盤２１に取り付けることができる。このように、ＣＯ２固定量表示部２３を立体的に表示することで、ＣＯ２固定量を強調することができる。
【００３７】
以上のように、樹名札２０によれば、基盤２１の表面に、樹木名表示部２２と、ＣＯ２固定量表示部２３とを有し、ＣＯ２固定量表示部２３を基盤２１から着脱することができるので、樹木のＣＯ２固定量を樹木名と共に表示することができると共に、樹木の成長により変化するＣＯ２固定量等の情報を容易に更新することが可能になる。
【００３８】
図８を用いて、樹名札３０の構成について説明する。図８に示すように、樹名札３０は、樹名札１０及び２０と同様に、基盤３１の表面に、樹木名表示部３２と、ＣＯ２固定量表示部３３と、定量ゲージ３４とを備え、樹木自体或いはその近傍に配置される。なお、樹名札３０において、定量ゲージ３４を除く各構成要素は、樹名札１０の対応する各構成要素と同様のものであるから、その説明を省略する。
【００３９】
定量ゲージ３４は、上記のように、木の太さ（幹径）に対応したＣＯ２固定量を規定するゲージであって、基盤３１の横幅よりも長いゲージとすることができる。即ち、定量ゲージ３４は、基盤３１の長さにとらわれず任意の長さに調整することができる。例えば、図８に示すように、細長のプレートからなる定量ゲージ３４を、基盤３１の裏側に取り付けて樹名札３０を構成することができる。
【００４０】
基盤３１の横幅よりも長い定量ゲージ３４を備えた樹名札３０によれば、基盤３１のサイズを大きくすることなく、幹径スケールを大きくすることが可能になる。また、樹木が成長して幹径が大きくなれば、定量ゲージ３４のみをより長いものに交換することも可能である。また、樹名札１０では、ＣＯ２固定量表示部１３に表示した幹径等の情報を定量ゲージ３４に表示し、定量ゲージ３４の交換により当該情報を更新することもできる。
【００４１】
なお、上記では、ＣＯ２の期間固定重量として、樹木が１年間に吸収固定するＣＯ２重量である年間固定重量（ｋｇ／年）を例に挙げて説明したが、樹名札には、その他の任意の期間について算出した固定重量を表示することもできる。また、ＣＯ２の容積換算量は、年間固定重量をペットボトルの容積で除して得られたペットボトル本数換算量（本）を例に挙げて説明したが、ドラム缶や飲料缶など任意の物品の容積について算出することもできる。
【符号の説明】
【００４２】
１０、２０、３０  樹名札、１１、２１、３１  基盤、１２、２２、３２  樹木名表示部、１３、２３、３３  ＣＯ２固定量表示部、１４、２４、３４  定量ゲージ、１５、２５  バンド、１６、２６  止め部、１７、２７  樹脂ポール嵌合部、２８  係止孔、２９  係止片、５０  樹脂ポール、５１  アンカー、５２  ジョイント、１００  幹。
【図２】
0003157020.tif 000003
【図３】
0003157020.tif 000004
【図６】
0003157020.tif 000005
【図７】
0003157020.tif 000006
【図１】
0003157020.tif 000007
【図４】
0003157020.tif 000008
【図５】
0003157020.tif 000009
【図８】
0003157020.tif 000010